(57)【特許請求の範囲】
【請求項１】
光記録媒体の種類による記録パルスを構成するファーストパルス、マルチパルス列、ラストパルス、そして冷却パルスの開始位置、終了位置をマークの起立点及び下降点を基準にタイミングデータ化したタイミングデータを貯蔵するマイクロコンピュータと、
NRZI信号に同期されて前記マイクロコンピュータから提供されるタイミングデータによって記録パルス制御信号を生じるためのベース信号を生じるベース信号発生部と、
前記ベース信号発生部から提供されるベース信号によって記録パルス制御信号を生じる記録波形発生部と、
前記記録波形発生部から発生された記録パルス制御信号によってレーザーダイオードを駆動して光記録媒体別記録パルスを発生させるレーザーダイオード駆動部とを含む記録装置。
【請求項２】
マイクロコンピュータは、ファーストパルスの開始位置、ファーストパルスの終了位置、マルチパルス列の開始位置、ラストパルスの開始位置、ラストパルスの終了位置、冷却パルスの終了位置を示すタイミングデータを貯蔵することを特徴とする請求項１に記載の記録装置。
【請求項３】
前記ファーストパルスの開始位置及び終了位置、前記マルチパルス列の開始位置をタイミングデータ化するための第１基準点はマークの起立点であり、
前記ラストパルスの開始位置及び終了位置、前記冷却パルスの終了位置をタイミングデータ化するための第２基準点はマークの下降点であることを特徴とする請求項２に記載の記録装置。
【請求項４】
前記ファーストパルスの開始位置及び終了位置、前記マルチパルス列の開始位置をタイミングデータ化するための第１基準点はマークの起立点より１T(ここで、Tは各光記録媒体別基準クロックの周期)ほど先だつ位置になり、
前記ラストパルスの開始位置及び終了位置、前記冷却パルスの終了位置をタイミングデータ化するための第２基準点はマークの下降点より３Tほど先だつ位置になることを特徴とする請求項２に記載の記録装置。
【請求項５】
前記ファーストパルスの開始位置及び終了位置、マルチパルス列の開始位置は前記第１基準点から同等な間隔に離れた複数の区分点中の一つに設定されて、
前記ラストパルスの開始位置及び終了位置、前記冷却パルスの終了位置は前記第２基準点から同等な間隔に離れた複数の区分点中の一つに設定されることを特徴とする請求項４に記載の記録装置。
【請求項６】
前記ベース信号発生部は、
NRZI信号に同期されて前記第１基準点を示す第１基準パルス及び第２基準点を示す第２基準パルスを生成する基準信号生成部と、
前記第１基準パルスをシフトさせて第１設定信号を生じる第２シフトレジスタと、
前記第２シフトレジスタから提供される第１設定信号と前記マイクロコンピュータから提供されるタイミングデータとを入力してファーストパルス開始信号、ファーストパルス終了信号、マルチパルス列開始信号を生じる第１〜第３マルチプレクサと、
前記第２基準パルスをシフトさせて第２設定信号を生じる第３シフトレジスタと、
前記第３シフトレジスタから提供される第２設定信号と前記マイクロコンピュータから提供されるタイミングデータとを入力してラストパルス開始信号、ラストパルス終了信号、冷却パルス終了信号を生じる第４〜第６マルチプレクサと、
前記NRZI信号とクロック信号をAND演算して固定幅マルチパルス信号を生じるゲートとを含むことを特徴とする請求項５に記載の記録装置。
【請求項７】
前記第１マルチプレクサは、前記マイクロコンピュータから提供されるファーストパルス開始位置を示すタイミングデータにより前記第２シフトレジスタから出力される第１設定信号中の一つを選択してファーストパルス開始信号として出力し、
前記第２マルチプレクサは、前記マイクロコンピュータから提供されるファーストパルス終了位置を示すタイミングデータによって前記第２シフトレジスタから出力される第１設定信号中の一つを選択してファーストパルス終了信号として出力し、
前記第３マルチプレクサは、前記マイクロコンピュータから提供されるマルチパルス列開始位置を示すタイミングデータによって前記第２シフトレジスタから出力される第１設定信号中の一つを選択してマルチパルス列開始信号として出力し、
前記第４マルチプレクサは、前記マイクロコンピュータから提供されるラストパルス開始位置を示すタイミングデータによって前記第３シフトレジスタから出力される第２設定信号中の一つを選択してラストパルス開始信号として出力し、
前記第５マルチプレクサは、前記マイクロコンピュータから提供されるラストパルス終了位置を示すタイミングデータによって前記第３シフトレジスタから出力される第２設定信号中の一つを選択してラストパルス終了信号として出力し、
前記第６マルチプレクサは、前記マイクロコンピュータから提供される冷却パルス終了位置を示すタイミングデータによって前記第３シフトレジスタから出力される第２設定信号中の一つを選択して冷却パルス終了信号として出力することを特徴とする請求項６に記載の記録装置。
【請求項８】
前記第１マルチプレクサ〜第６マルチプレクサの出力をクロック信号に同期させ出力するラッチをさらに備えることを特徴とする請求項７に記載の記録装置。
【請求項９】
前記ゲートは、前記固定幅マルチパルスに同期された可変幅マルチパルススタート信号とこれを所定時間遅延させた可変幅マルチパルスエンド信号をさらに生じることを特徴とする請求項８に記載の記録装置。
【請求項１０】
前記記録波形発生部は、
前記ベース信号発生部から提供されるファーストパルス開始信号、ファーストパルス終了信号、マルチパルス列開始信号、ラストパルス開始信号、そしてラストパルス終了信号を入力してピークパワー制御信号を生じるピークパワー制御信号発生部と、
前記ベース信号発生部から提供されるラストパルス終了信号と冷却パルス終了信号とを入力して冷却パワー制御信号を生じる冷却パワー制御信号発生部と、
前記ベース信号発生部から提供されるファーストパルス開始信号と冷却パルス終了信号とを入力して消去パワー制御信号を生じる消去パワー制御信号発生部と、
前記ベース信号発生部から提供される固定幅マルチパルス信号、可変幅マルチパルス開始信号、可変幅マルチパルス終了信号を入力してバイアスパワー制御信号を生じるマルチパルス列発生部とを含むことを特徴とする請求項９に記載の記録装置。
【請求項１１】
前記ピークパワー制御信号発生部は、
ファーストパルス開始信号と前記ファーストパルス終了信号とを入力してファーストパルスを生じるファーストパルス発生部と、
ラストパルス開始信号と前記ラストパルス終了信号とを入力してラストパルスを生じるラストパルス発生部と、
前記ファーストパルス、ラストパルス、そして前記マルチパルス列発生部から出力されたバイアスパワー制御信号をオア演算するゲートとを含むことを特徴とする請求項１０に記載の記録装置。
【請求項１２】
前記ファーストパルス発生部は、ファーストパルス開始信号により始まって前記ファーストパルス終了信号により終了されるファーストパルス信号を生じる第１ラッチをさらに備えて、
前記ラストパルス発生部はラストパルス開始信号により始まってラストパルス終了信号により終了されるラストパルス信号を生じる第２ラッチをさらに備えることを特徴とする請求項１１に記載の記録装置。
【請求項１３】
NRZI信号のマーク長とマーク以前／以後のスペース長の相関関係によってマークの時間軸上のシフト値を示すテーブルを貯蔵するテーブル貯蔵部をさらに備えて、
前記ファーストパルス発生部は、前記テーブル貯蔵部から提供されるシフト値により前記ファーストパルス開始信号を遅延する第１遅延器と前記ファーストパルス終了信号を遅延する第２遅延器をさらに備えて、
前記ラストパルス発生部は、前記テーブル貯蔵部から提供されるシフト値により前記ラストパルス開始信号を遅延する第３遅延器と前記ラストパルス終了信号を遅延する第４遅延器をさらに備えることを特徴とする請求項１２に記載の記録装置。
【請求項１４】
前記冷却パワー制御信号発生部は、前記ラストパルス発生部から発生されたラストパルス終了信号により始まってベース信号発生部から提供される冷却パルスエンド信号により終了される冷却パワー制御信号を生じる第３ラッチを備えることを特徴とする請求項１０に記載の記録装置。
【請求項１５】
前記テーブル貯蔵部から提供されるシフト値により前記冷却パルス終了信号を遅延する第５遅延器をさらに備えることを特徴とする請求項１３に記載の記録装置。
【請求項１６】
前記テーブル貯蔵部から提供されるシフト値により前記冷却パルス終了信号を遅延する第５遅延器をさらに備えることを特徴とする請求項１４に記載の記録装置。
【請求項１７】
前記消去パワー制御信号発生器は、
前記第１遅延器の出力により始まって、前記第５遅延器の出力により終了される消去制御信号を生じる第４ラッチを備えることを特徴とする請求項１０に記載の記録装置。
【請求項１８】
前記マルチパルス列発生器は、
前記ベース信号発生器から提供される前記可変幅マルチパルス開始信号により始まって前記可変幅マルチパルス終了信号により終了される可変マルチパルス列信号を生じる第５ラッチと、
前記第５ラッチから提供される可変マルチパルス信号と前記ベース信号発生器から提供される固定幅マルチパルス信号とを選択的に出力するマルチプレクサとを備えることを特徴とする請求項１０に記載の記録装置。
【請求項１９】
前記マルチパルス列発生部は、前記テーブル貯蔵部から提供されるシフト値により前記可変幅マルチパルス終了信号を遅延する第６遅延器をさらに備えることを特徴とする請求項１３に記載の記録装置。
【請求項２０】
前記マルチパルス列発生部は、前記テーブル貯蔵部から提供されるシフト値により前記可変幅マルチパルス終了信号を遅延する第６遅延器をさらに備えることを特徴とする請求項１７に記載の記録装置。
【発明の詳細な説明】
【０００１】
【発明の属する技術分野】
本発明は高密度光記録のための方法及び装置に係り、特に多様な形態の光記録媒体に適した記録パルス制御信号発生方法及びこれに適した記録装置に関する。
【０００２】
【従来の技術】
マルチメディア時代は高容量の記録媒体を要求する。このような高容量の記録媒体としてDVD−RAM(Digital Versatile Disc Random Access Memory)、DVD−R、DVD−RW、DVD＋RW、CD−RWなどの光記録媒体を挙げることができる。
【０００３】
一つの光ディスク記録装置においてDVD−RAM、DVD−R、DVD−RW、DVD＋RW、CD−RWなどの多様な光記録媒体を読んだり記録できることが望ましい。
【０００４】
ところが、光記録媒体の記録特性が相異なるために光記録媒体ごとに記録パルスの形態は相異なる。すなわち、これにより光ディスク記録装置が多様な光記録媒体にデータを記録するためには各々が特定の光記録媒体に適したいくつかの記録パルス発生装置が必要になり、これはハードウェアー的負担を増やすことになる。
【０００５】
【発明が解決しようとする課題】
本発明は前記の問題点を解決するために案出されたもので、多様な光記録媒体に適した記録パルスを容易に生じることができる記録パルス制御信号発生方法を提供することをその目的とする。
【０００６】
本発明の他の目的は前記方法に適した記録装置を提供することにある。
【０００８】
【課題を解決するための手段】
前記の目的を達成する本発明による記録装置は、光記録媒体の種類による記録パルスを構成するファーストパルス、マルチパルス列、ラストパルス、そして冷却パルスの開始位置、終了位置をマークの起立点及び下降点を基準にタイミングデータ化したタイミングデータを貯蔵するマイクロコンピュータと、NRZI（Non Return to Zero Inverted）信号に同期されて前記マイクロコンピュータから提供されるタイミングデータによって記録パルス制御信号を生じるためのベース信号を生じるベース信号発生部と、前記ベース信号発生部から提供されるベース信号によって記録パルス制御信号を生じる記録波形発生部と、前記記録波形発生部から発生された記録パルス制御信号によってレーザーダイオードを駆動して光記録媒体別記録パルスを発生させるレーザーダイオード駆動部とを含むことを特徴とする。
【０００９】
【発明の実施の形態】
以下、添付した図面を参照して本発明の構成及び動作を詳しく説明する。
【００１０】
光記録装置では多重パルスパターンの記録パルスを用いてマークを記録する。
図１は、マークを形成するための記録パルスを示す波形図である。図１の（a）はNRZIデータを示し、（ｂ）は（ａ）に示されたデータをディスクに記録するための記録パルスを示す。図１の（ｂ）に示されたような記録パルスはリードパワー制御信号（図１の（c）)、ピークパワー制御信号（図１の（d）)、そしてバイアスパワー制御信号（図１の（e））の組合せとして得られる。記録波形発生部は図１の（ａ）に示されたNRZI信号を入力して図１の（c）〜（ｅ）に示されたような制御信号を生じてレーザーダイオード駆動部に提供すると、レーザーダイオード駆動部は図１の（ｂ）に示されたような記録パルスが生じるようにレーザーダイオードを駆動する。図１は３個の制御信号を利用して記録パルスを生じる場合を示す。
【００１１】
図２は、マークを形成するための記録パルスの他の例を示し、４個の制御信号を用いる場合を示す波形図である。図２の（ａ）はNRZIデータを示し、（ｂ）は（ａ）に示されたデータをディスクに記録するための記録パルスを示す。図２の（b）に示されたような記録パルスはバイアスパワー制御信号（図２の（c）)、消去パワー制御信号(図２の（d）)、ピークパワー制御信号(図２の（e）)、そして冷却パワー制御信号(図２の（f）)の組合せとして得られる。
【００１２】
図１の（b）に示された記録パルスは２.６GB DVD−RAM標準に従ったものである。２.６GB  DVD−RAM標準案によると、記録パルスはファーストパルス、マルチパルス列、ラストパルス、冷却パルスよりなる。マークの長さによってファーストパルスとラストパルスはそのままでマルチパルスの個数が変わる。
【００１３】
ファーストパルスは、マークのリーディングエッジを形成するためのものである。マルチパルス列はファーストパルスとラストパルスとの間に挿入される。このマルチパルス列は列集積により引き起こされるマークの不均一性を省くためにいくつかのパルスで形成されてその個数はマークの長さによって異なる。ラストパルスはマークのトレーリングエッジを形成するためのものである。そして、冷却パルスはラストパルスの後に位置されたパルスでありマークがあまりにも長く形成されることを防止するためのものである。
【００１４】
DVD−RAM、DVD−R、DVD−RW、DVD＋RW、CD−RWなどの光記録媒体においてその記録特性が各々異なる。これにより同一な長さのマークに対しても各々の記録媒体または記録速度によって記録パルスの形態が相異なる。特に、ファーストパルス、マルチパルス列、ラストパルス、冷却パルスなどの開始位置と長さが相異なる。
【００１５】
適応的記録ではマークのジッタ成分を改善するためにファーストパルス、マルチパルス列、ラストパルス、冷却パルスなどを時間軸上で移動させて記録する。
このような形態が図２の中央及び右側の波形により示される。
【００１６】
図３において（ａ）ないし（ｆ）は、入力NRZI信号に対応する各光記録媒体における記録パルスの形態を示す波形図である。図３の（a）は入力されるNRZI信号の波形を示し、（b）は４.７G  DVD−RAMにおける記録パルスを示し、（C）はDVD−Rにおける記録パルスを示し、（d）はDVD−RWにおける記録パルスを示し、（e）はDVD＋RWにおける記録パルスを示し、（f）はCD−RW４Xにおける記録パルスを示す。（g）は後に説明されるように２個の制御信号を用いる場合の消去パワー制御信号を示す。
【００１７】
図３の（a）ないし（f）に示されたように光記録媒体の種類によって記録パルスの形態が相異なるために一つの記録装置が多種の光記録媒体に記録するためには各光記録媒体に適した記録波形発生部を備えるべきであり、これによりハードウェアが大きくなる問題点がある。
【００１８】
本発明による記録パルス発生方法では光記録媒体の種類によって記録パルスを構成する各々のパルスの開始位置、終了位置をタイミングデータ化したテーブルを作成して、入力されるNRZI信号に同期されて前記テーブルに貯蔵されたタイミングデータを読出し、読出されたタイミングデータにより記録パルス制御信号を生じることを特徴とする。
【００１９】
図４（a）ないし図５（e）は、本発明による記録パルス発生方法を図式的に示すための図である。図４において、（a）はNRZI信号を示し、（b）はファーストパルス、マルチパルス列、ラストパルス、冷却パルスの開始位置及び終了位置をタイミングデータ化するために必要な区分点を示し、（c）はタイミングデータにより発生されたDVD−RAMにおける記録パルスの例を示す。
【００２０】
ファーストパルスの開始位置をタイミングデータ化するためにマークの起立点前後に８個の区分点C_SFP[２..０]を設定する。各々の区分点C_SFP[２..０]は同一な間隔で羅列されている。ファーストパルスの開始位置は区分点C_SFP[２..０]中の一つを指定する３ビット情報で指定される。
【００２１】
ファーストパルスの終了位置をタイミングデータ化するためにマークの起立点前後に８個の区分点C_EFP[２..０]を設定する。各々の区分点 C_EFP[２..０]は同一な間隔で羅列されている。ファーストパルスの終了位置は区分点 C_EFP[２..０]中の一つを指定する３ビット情報で指定される。
【００２２】
ファーストパルスの開始位置を示すための区分点C_SFP[２..０]の基準位置とファーストパルスの終了位置を示すための区分点C_EFP[２..０]の基準位置は所定間隔ほど離れることが望ましい。ファーストパルスは最小限０.５Tの幅を有するのでファーストパルスの開始位置を示すための区分点C_SFP[２..０]の基準位置C_SFP[０]と終了位置を示すための区分点C_EFP[２..０]の基準位置C_EFP[０]を０.５Tほど離れるようにする。ここで、Tは各光記録媒体別基準クロックの周期である。
【００２３】
マルチパルス列の開始位置をタイミングデータ化するためにマークの起立点を前後に８個の区分点C_SMP[２..０]を設定する。各々の区分点C_SMP[２..０]は同一な間隔で羅列されている。マルチパルス列の開始位置は起立点前後の区分点中の一つにより指定されることができる。
【００２４】
ファーストパルスの開始位置を示すための区分点C_SFP[２..０]の基準位置とマルチパルス列の開始位置を示すための区分点C_SMP[２..０]の基準位置は所定間隔ほど離れることが望ましい。ファーストパルスの開始位置とマルチパルス列の開始位置は最小限１Tの間隔を有するのでファーストパルスの開始位置を示すための区分点の基準位置C_SFP[０]とマルチパルス列の開始位置を示すための区分点C_SMP[２..０]の基準位置C_SMP[０]を１Tだけ離れるようにする。
【００２５】
マルチパルス列の終了位置は、ラストパルスの開始位置と同一なので別途に指定しない。
【００２６】
ラストパルスの開始位置をタイミングデータ化するためにマークの下降点前後に８個の区分点C_SLP[２..０]を設定する。各々の区分点は同一な間隔で羅列されている。ラストパルスの開始位置は区分点C_SLP[２..０]中の一つを指定する３ビット情報で指定される。
【００２７】
ラストパルスの終了位置をタイミングデータ化するためにマークの下降点前後に８個の区分点C_ELP[２..０]を設定する。各々の区分点は同一な間隔で羅列されている。ラストパルスの終了位置は区分点C_ELP[２..０]中の一つを指定する３ビット情報で指定される。
【００２８】
ラストパルスの開始位置を示すための区分点C_SLP[２..０]の基準位置とラストパルスの終了位置を示すための区分点C_ELP[２..０]の基準位置は所定間隔ほど離れることが望ましい。ラストパルスは最小限０.５Tの幅を有するのでラストパルスの開始位置を示すための区分点C_SLP[２..０]の基準位置C_SLP[０]と終了位置を示すための区分点C_ELP[２..０]の基準位置C_ELP[０]を０.５Tだけ離れるようにする。
【００２９】
冷却パルスの開始位置は、ラストパルスの終了位置と同一なので別途に指定しない。
【００３０】
冷却パルスの終了位置をタイミングデータ化するためにマークの下降点を前後に８個の区分点C_ELC[２..０]を設定する。各々の区分点は同一な間隔で羅列されている。冷却パルスの終了位置は起立点前後の区分点C_ELC[２..０]中の一つにより指定されることができる。
【００３１】
ラストパルスの終了位置を示すための区分点C_ELP[２..０]の基準位置と冷却パルスの終了位置を示すための区分点C_ELC[２..０]の基準位置は所定間隔ほど離れることが望ましい。冷却パルスは最小限１Tの幅を有するのでラストパルスの終了位置を示すための区分点C_ELP[２..０]の基準位置C_ELP[０]と冷却パルスの終了位置を示すための区分点C_ELC[２..０]の基準位置C_ELC[０]を１Tだけ離れるようにする。
【００３２】
図４に示されたように各光記録媒体による記録パルスは区分点によりタイミングデータ化される。表１は光記録媒体の種類によって記録パルスを生じるためのテーブルの例を示す。
【００３３】
【表１】
0003693232.tif 000002
C_SFP[２..０]のための基準位置はNRZI信号の起立点より１Tだけ先だつ位置である。
【００３４】
C_SLP[２..０]のための基準位置はNRZI信号の終了点より３Tだけ先だつ位置である。
【００３５】
図５は、表１に示した設定による各光記録媒体別記録パルスを示す波形図である。図５の（ａ）は４.７GB DVD−RAMにおける記録パルスを示し、（ｂ）はDVD−Rにおける記録パルスを示し、（C）はDVD−RWにおける記録パルスを示し、（ｄ）はDVD＋RWにおける記録パルスを示し、（ｅ）はCＤ−RW４Ｘにおける記録パルスを示す。
【００３６】
例えば、図５の（a）においてC_SFP[]＝３、C_EFP[]＝４、C_SMP[]＝３、C_SLP[]＝２、C_ELP[]＝３、C_ELC[]＝４の場合のDVD−RAMにおける記録パルスを示す。
【００３７】
図６は、本発明による記録パルス発生装置を示すブロック図である。図６に示された装置は現在のマーク長とマーク以前/以後のスペース長の相関関係によって各々の記録パルスの位置をシフトさせ最適の記録を達成させる適応的記録装置である。
【００３８】
図６に示された装置は、データ判別部１００、記録波形発生部１２０、レーザーダイオード駆動部１４０、レーザーダイオード１６０、ALPC(auto laser−diode power control)回路２００、ドライバマイクロコンピュータ１０２、時間軸変動テーブル貯蔵部１０４、ベース信号発生部１０６より構成される。
【００３９】
ALPC回路２００は、フォトダイオード２０２、可変利得調整部２０４、比較部２０６、アップ/ダウンカウンター２０８、そしてDAC２１０より構成され、レーザーダイオード１６０から出力される光信号のレベルを一定に維持するALPC動作を実行する。
【００４０】
レーザーダイオード１６０から出力される記録パルスのレベルはALPC回路２００のアップ/ダウンカウンター２０８から提供される光出力制御データにより制御される。
【００４１】
ディスク１８０から反射された光信号は、受光素子であるフォトダイオード２０２により受光される。可変利得調整部２０４はフォトダイオード２０２により受光された光信号を増幅し、比較部２０６は可変利得調整部２０４から出力される電圧レベルとドライバマイクロコンピュータ１０２により提供される基準電圧レベルVrefとを比較する。
【００４２】
ここで基準電圧レベルVrefは、正常的記録モードで要求される記録パルスのパワーによって設定される。アップ/ダウンカウンター２０８は比較部２０６で比較された光信号レベルが基準電圧レベルVrefに示される基準レベルより大きければダウンカウントして、少なければアップカウントする。
【００４３】
アップ/ダウンカウンター２０８のタイミングデータ結果は、光出力制御データとしてDAC２１０を通してレーザーダイオード駆動部１４０に提供される。正常的な記録モード時アップ/ダウンカウンター２０８から提供される光出力制御データがDAC２１０に提供される。
【００４４】
図６に示された装置は、正常的な記録モード及び適応的記録モードで動作する。正常的な記録モードでベース信号発生部１０６から発生される信号(以下、ベース信号と称する)により指定されることによって記録パルス制御信号が発生される。ベース信号はファーストパルススタート信号S_SFP、ファーストパルスエンド信号S_EFP、マルチパルス列スタート信号S_SMP、固定幅マルチパルス信号MP、可変幅マルチパルス列スタート信号MP_S、可変幅マルチパルス列エンド信号MP_E、ラストパルススタート信号S_SLP、ラストパルスエンド信号S_ELP、冷却パルスエンド信号S_ELCを含む。
【００４５】
一方、適応的記録モードではベース信号発生部１０６から発生されたベース信号による記録パルス制御信号をテーブル貯蔵部１０４に貯蔵された時間軸変動情報により時間軸にシフトする。
【００４６】
図６に示された装置において、テーブル貯蔵部１０４はドライバマイクロコンピュータ１０２の初期化動作により初期化され、マーク長とマーク以前/以後のスペース長との相関関係による記録パルスの時間軸変動値を有するテーブル(以下、シフトテーブルと称する)を貯蔵する。
このシフトテーブルについて説明する。まず、光ディスクにおいて、マークとスペースは、３Ｔ−１４Ｔの長さを有する。そして、適応的記録方式においては、マークとスペースの相関関係により記録パルスの形態を制御する。その方法は、周知の通り以下の通りである。まず、マークとスペースは、それぞれの長さにより、例えば第１グループは、３Ｔから６Ｔ、第２グループは、７Ｔから１０Ｔまで、第３グループは１１Ｔから１４Ｔまでに分類する方法によりいくつかのグループに分類する。
次に、マークのグループとスペースのグループを対応させ、遅延時間を決定する。これは、例えば第１グループに属したマークと、第１グループに属したスペースが連続する場合と、第２グループに属したマークと、第２グループに属したスペースが連続する場合とに分けてそれぞれの時間を決定する。
このような、相関関係及び遅延時間に関する情報が保存されているのがシフトテーブルである。また、このテーブルに保存された情報は、記録パルス制御信号を作成する際に参照される。
【００４７】
テーブル貯蔵部１０４の初期化動作において、ドライバマイクロコンピュータ１０２はディスク１８０のリードイン/アウト領域に記録されたシフトテーブルを読んでテーブル貯蔵部１０４に貯蔵する。このシフトテーブルはマーク長とマーク以前/以後のスペース長との相関関係によってディスク１８０にデータを最適に記録するために要求される時間軸変動値を有する。
【００４８】
適応的記録を実行するにおいて、記録波形発生部１２０はテーブル貯蔵部１０４から提供される時間軸変動値によってレーザーダイオード１６０から発生される記録パルスを時間軸上に変動させる。
【００４９】
マーク長とマーク以前/以後のスペース長との相関関係による時間軸変動値はディスク１８０によって異なることがあり、通常製造業者により調べられディスク１８０のリードイン/アウト領域に記録される。
【００５０】
データ判別部１００は、NRZIデータを入力してマーク長とマーク以前/以後のスペース長との相関関係を判別し、判別結果をテーブル貯蔵部１０４に提供する。テーブル貯蔵部１０４はデータ判別部１００から提供される判別結果を参照して該相関関係による時間軸変動値を記録波形発生部１２０に提供する。記録波形発生部１２０はベース信号発生部１０６から提供されるベース信号とテーブル貯蔵部１０４から提供される時間軸変動値を参照して記録パルスを生じる。記録波形発生部１２０から発生された記録パルスはレーザーダイオード駆動部１４０に提供される。
【００５１】
レーザーダイオード駆動部１４０は、記録波形発生部１２０から提供される信号(記録パワー制御信号、消去パワー制御信号、バイアスパワー制御信号、冷却パワー制御信号)によってレーザーダイオード１６０を駆動して記録パルスを発生させる。
【００５２】
例えば、データ判別部１００に図２の（ａ）のようなNRZIデータが入力されると記録波形発生部１２０はバイアスパワー制御信号(図２の（c）)、消去パワー制御信号(図２の（d）)、ピークパワー制御信号(図２の（ｅ）)、冷却パワー制御信号(図２の（f）)を生じる。
【００５３】
レーザーダイオード駆動部１４０は、記録波形発生部１２０から印加される記録パルス制御信号により図２の（ｂ）のような記録パルスが生じるようにレーザーダイオード１６０を制御する。
【００５４】
レーザーダイオード駆動部１４０は、印加される記録パルス制御信号とDAC２１０から提供される光出力制御データによりレーザーダイオード１６０の出力レベルを制御する。レーザーダイオード１６０から発生された記録パルスはディスク１８０に照射されてデータを記録する。
【００５５】
レーザーダイオード１６０から出力される記録パルスの位置は、図２の中央及び右側に示されたようにマーク長とマーク以前/以後のスペース長との相関関係により適応的に可変される。
【００５６】
図７は、図６に示されたベース信号発生部１０６の詳細な構成を示すブロック図である。図７に示された装置は第１シフトレジスタ７００、基準信号生成部７０２、第２シフトレジスタ７０４、第３シフトレジスタ７０６、マルチプレクサ７０８〜７１８、ラッチ７２０、ゲート７２２を備える。
【００５７】
第１シフトレジスタ７００は、入力されるNRZI信号をシフトして基準信号生成部７０２に印加する。基準信号生成部７０２はシフトされたNRZI信号から基準信号を生成する。この基準信号は、第１シフトレジスタ７００に印加されるNRZI信号のマークの起立点より各々１Tだけ先に生じる第１基準パルス、マークの下降点より３Tだけ先に生じる第２基準パルスを含む。ここで、第１基準パルスは、図４においてファーストパルスの開始位置を示すための区分点C_SFP[２..０]のための基準位置(第１基準点)を示すための信号であり、第２基準パルスは図４においてラストパルスの開始位置を示すための区分点C_SLP[２..０]のための基準位置(第２基準点)を示すための信号である。
【００５８】
第２シフトレジスタ７０４は、基準信号生成部７０２から発生された第１基準パルスを各々０.５T、１T、、、、５Tだけシフトさせた１０個のパルス信号(第１設定信号)を出力する。
【００５９】
第２シフトレジスタ７０４から出力される１０個のパルス信号の中から最初〜八番目パルス信号は第１マルチプレクサ７０８に入力される。すなわち、第１マルチプレクサ７０８に入力されるパルス信号は図４においてC_SFP[２..０]に該当する。第１マルチプレクサ７０８は光記録媒体の種類によって入力される８個のパルス信号中の一つを選択して出力する。第１マルチプレクサ７０８の出力はラッチ７２０を経てファーストパルススタート信号S_SFPとして記録波形発生部１２０に提供される。このファーストパルススタート信号S_SFPはファーストパルスの開始位置を示す信号である。
【００６０】
第２シフトレジスタ７０４から出力される１０個のパルス(第１設定信号)の中から二番目〜九番目パルスは第２マルチプレクサ７１０に入力される。すなわち、第２マルチプレクサ７１０に入力されるパルス信号は図４においてC_EFP[２..０]に該当する。第２マルチプレクサ７１０は、光記録媒体の種類によって入力される８個のパルス中の一つを選択して出力する。第２マルチプレクサ７１０の出力はラッチ７２０を経てファーストパルスエンド信号S_EFPとして記録波形発生部１２０（図６）に提供される。このラストパルスエンド信号S_EFPはファーストパルスの終了位置を示す信号である。
【００６１】
第２シフトレジスタ７０４から出力される１０個のパルス(第１設定信号)の中から三番目〜１０番目パルスは第３マルチプレクサ７１２に入力される。すなわち、第３マルチプレクサ７１２に入力されるパルスは図４においてC_SMP[２..０]に該当する。第３マルチプレクサ７１２は光記録媒体の種類によって入力される８個のパルス中の一つを選択して出力する。第３マルチプレクサ７１２の出力はラッチ７２０を経てマルチパルス列スタート信号S_SMPとして記録波形発生部１２０に提供される。このマルチパルス列スタート信号S_SMPはマルチパルス列の開始位置を示す信号である。
【００６２】
一方、第３シフトレジスタ７０６は基準信号生成部７０２から発生された第２基準パルスを各々０.５T、１T、、、、５Tだけシフトさせた１０個のパルス(第２設定信号)を出力する。
【００６３】
第３シフトレジスタ７０６から出力される１０個のパルス(第２設定信号)の中から最初〜八番目パルスは第４マルチプレクサ７１４に入力される。すなわち、第４マルチプレクサ７１４に入力されるパルスは図４においてC_SLP[２..０]に該当する。第４マルチプレクサ７１４は光記録媒体の種類によって入力される８個のパルス中の一つを選択して出力する。第４マルチプレクサ７１４の出力はラッチ７２０を経てラストパルススタート信号S_SLPとして記録波形発生部１２０に提供される。このラストパルススタート信号S_SLPはラストパルスの開始位置を示す信号である。
【００６４】
第３シフトレジスタ７０６から出力される１０個のパルス(第２設定信号)の中から二番目〜九番目パルスは第５マルチプレクサ７１６に入力される。すなわち、第５マルチプレクサ７１６に入力されるパルスは図４においてC_ELP[２..０]に該当する。第５マルチプレクサ７１６は光記録媒体の種類によって入力される８個のパルス中の一つを選択して出力する。第５マルチプレクサ７１６の出力はラッチ７２０を経てラストパルスエンド信号S_ELPとして記録波形発生部１２０に提供される。このラストパルスエンド信号S_ELPはラストパルスの終了位置を示す信号である。
【００６５】
第３シフトレジスタ７０６から出力される１０個のパルス(第２設定信号)の中から三番目〜１０番目パルスは第６マルチプレクサ７１８に入力される。すなわち、第６マルチプレクサ７１８に入力されるパルスは図４において冷却パルスの終了位置を示すための区分点C_ELC[２..０]に該当する。第６マルチプレクサ７１８は光記録媒体の種類によって入力される８個のパルス中の一つを選択して出力する。第６マルチプレクサ７１８の出力はラッチ７２０を経て冷却パルスエンド信号S_ELCとして記録波形発生部１２０に提供される。この冷却パルスエンド信号S_ELCは冷却パルスの終了位置を示す信号である。
【００６６】
第１マルチプレクサ７０８ないし第６マルチプレクサ７１８の選択信号は表１を貯蔵するテーブルから提供される。このテーブルはマイクロコンピュータ１０２（図６）は光記録媒体の種類によってこのテーブルからbased setting point value−C_SFP[]、C_EFP[]、C_SMP[]、C_SLP[]、C_ELP[]、そしてC_ELC[]−を読んで第１マルチプレクサ７０８ないし第６マルチプレクサ７１８の選択信号として提供する。
【００６７】
ゲート７２２は、マルチパルス列を生じるための信号を生じて、基本的に第１シフトレジスタ７００から提供されるNRZI信号とシステムクロックをアンドゲーティングさせる固定幅マルチパルス信号MPを生じる。また、ゲート７２２は固定幅マルチパルス信号MPに同期された可変幅マルチパルス列スタート信号MP_SとMP_Sより若干遅延された可変幅マルチパルス列エンド信号MP_Ｅを出力する。
【００６８】
ラッチ７２０は、第１マルチプレクサ７０８から出力されるファーストパルススタート信号S_SFPないし第６マルチプレクサ７１８から出力される冷却パルスエンド信号S_ELC、そしてゲート７２２から出力される固定幅マルチパルス信号MPを入力して、これらが各々システムクロックと同期されるようにラッチして出力する。ファーストパルススタート信号S_SFPないし冷却パルスエンド信号S_ELC、固定幅マルチパルス信号MPが相異なるパスを通して処理される関係で同期が逸れることがあるためにラッチ７２０を通して同期させる。
【００６９】
図８は、図６に示された記録波形発生部１２０の詳細な構成を示すブロック図である。図８に示された装置はピークパワー制御信号発生部８００、冷却パワー制御信号発生部８１０、消去パワー制御信号発生部８２０、マルチパルス列発生部８３０を含む。
【００７０】
ピークパワー制御信号発生部８００はファーストパルス発生部８０２、ラストパルス発生部８０４、ゲート８０６を含む。
【００７１】
ピークパワー制御信号発生部８００はベース信号発生部１０６から印加されるファーストパルススタート信号S_SFP、ファーストパルスエンド信号S_EFP、ラストパルススタート信号S_SLP、ラストパルス終了信号S_ELP、そしてバイアスパワー制御信号を入力し図２の（ｅ）のようなピークパワー制御信号を生じる。具体的にファーストパルス発生部８０２はベース信号発生部１０６から提供されるファーストパルススタート信号S_SFP及びファーストパルスエンド信号S_EFPを入力してファーストパルスを生じて、ラストパルス発生部８０４はベース信号発生部１０６から提供されるラストパルススタート信号S_SLP及びラストパルスエンド信号S_ELPを入力しラストパルスを生じて、ゲート８０６はファーストパルス発生部８０２から提供されるファーストパルス、ラストパルス発生部８０４から提供されるラストパルス、そしてマルチパルス列発生部８３０から提供されるバイアスパワー制御信号をOR演算して図２の（ｅ）に示されたようなピークパワー制御信号を生じる。
【００７２】
冷却パワー制御信号発生部８１０は、ベース信号発生部１０６から印加される冷却パルスエンド信号S_ELCとラストパルス発生部８０４から発生されるラストパルスとを入力し図２の（ｆ）のような冷却パワー制御信号を生じる。
【００７３】
消去パワー制御信号発生部８２０は、ファーストパルススタート信号S_SFPと冷却パルスエンド信号S_ELCとを入力して図２の（ｄ）のような消去パワー制御信号を生じる。
【００７４】
マルチパルス列発生部８３０は、ベース信号発生部１０６から提供される固定幅マルチパルス信号MP、可変幅マルチパルス列スタート信号MP_S、そして可変幅マルチパルス列エンド信号MP_Eを入力し図２の（c）のようなバイアスパワー制御信号を生じる。
【００７５】
ピークパワー制御信号発生部８００のファーストパルス発生部８０２は、第１遅延器８０２a、第２遅延器８０２b、マルチプレクサ８０２c、８０２d、第１ラッチ８０２eを含む。
【００７６】
第１遅延器８０２aは、ベース信号発生部１０６から提供されるファーストパルススタート信号S_SFPをテーブル貯蔵部１０４から提供されるTB１S[５..０]信号により指定される遅延時間だけ遅延させて出力する。第１遅延器８０２ａの動作によりファーストパルスの立上りタイムをシフトさせることができる。
【００７７】
第２遅延器８０２ｂは、ベース信号発生部１０６から提供されるファーストパルスエンド信号S_EFPをテーブル貯蔵部１０４から提供されるT_FP[７..０]あるいはT_EFP[５..０]信号により指定される遅延時間だけ遅延させて出力する。第２遅延器８０２ｂの動作によりファーストパルスの立下り時間をシフトさせることができる。T_FP[７..０]あるいはT_EFP[５..０]信号の選択はCASE２信号により制御される。CASE２信号は記録パルスをシフトするモードを決定する信号である。記録パルスをシフトするモードとしては記録パルスの幅を可変するモードCASE１と記録パルスの位置をシフトするモードCASE２があり、各モードはCASE２信号により選択される。
【００７８】
第１遅延器８０２ａと第２遅延器８０２ｂとの出力は、各々第１ラッチ８０２ｅのクロック信号及びリセット信号として印加される。第１ラッチ８０２ｅは記録モード制御信号WMODEによりイネーブルされ、第１遅延器８０２ａの出力によりセットされ、第２遅延器８０２ｂの出力によりリセットされる。第１ラッチ８０２ｅの動作によりファーストパルススタート信号S_SFPにより立上りタイムが設定されてファーストパルスエンド信号S_EFPにより立下り時間が設定されるファーストパルスを得ることができる。適応的記録モードでファーストパルスの幅はT_FP[７..０]あるいはT_EFP[５..０]により決定される。
なお、CASE2信号が活性化されたとき、TB1S、TBLST、TBLCなどのデータが使用され、ファーストパルスの開始／終了位置、ラストパルスの開始／終了位置などが変更される。このうち、例えば、TB1Sデータの作用について以下説明する。S_SFP信号に応じてファーストパルスが開始され、選択器８０２ｃは、S_EFP信号とTB1Sにより指定されるほど遅延されたS_SFP信号を入力し、その選択動作は、CASE2信号に応じて制御される。選択器８０２ｃの出力はファーストパルスの下降を制御する。従って、ファーストパルスの終了時点が適応的記録動作を行わないときは、S_EFP信号に応じて制御され、適応的記録動作を行うときは、TB1Sによって制御される。このTB1S、TBLST、TBLCなどはシフトテーブルに保存される。
【００７９】
ラストパルス発生部８０４は、第３遅延器８０４a、第４遅延器８０４b、マルチプレクサ８０４c、８０４d、８０４e、第２ラッチ８０４fを含む。
【００８０】
第３遅延器８０４ａは、ベース信号発生部１０６から提供されるラストパルススタート信号S_SLPをテーブル貯蔵部１０４から提供されるT_SLP[７..０]あるいはTBLST[５..０]信号により指定される遅延時間だけ遅延させて出力する。第３遅延器８０４ａの動作によりラストパルスの立上りタイムをシフトさせることができる。T_SLP[７..０]あるいはTBLST[５..０]信号の選択はCASE２信号により制御される。
【００８１】
第４遅延器８０４ｂは、ベース信号発生部１０６から提供されるラストパルスエンド信号S_ELPをテーブル貯蔵部１０４から提供されるT_LP[７..０]あるいはTBLST[５..０]信号により指定される遅延時間だけ遅延させて出力する。第４遅延器８０４ｂの動作によりラストパルスの立下り時間をシフトさせることができる。T_LP[７..０]あるいはT_BLST[５..０]信号の選択はCASE２信号により制御される。
【００８２】
第３遅延器８０４aと第４遅延器８０４bとの出力は、各々第２ラッチ８０４fのクロック信号及びリセット信号として印加される。第２ラッチ８０４fは記録モード制御信号WMODEによりイネーブルされ、第３遅延器８０４aの出力によりセットされ、第４遅延器８０４bの出力によりリセットされる。第２ラッチ８０４fの動作によりラストパルススタート信号S_SLPにより立上りタイムが設定され、ラストパルスエンド信号S_ELPにより立下り時間が設定されるラストパルスを得ることができる。適応的記録モードでラストパルスのシフト量はT_SLP[７..０]、T_LP[７..０]あるいはTBLST[５..０]信号により決定される。
【００８３】
ピークパワー制御信号発生部８００のゲート８０６は、ファーストパルス発生部８０２から提供されるファーストパルス、ラストパルス発生部８０４から提供されるラストパルス、そしてマルチパルス列発生部８３０から提供されるバイアス制御信号をオアリングして出力する。
【００８４】
記録波形発生部１２０の冷却パワー制御信号発生部８１０は、第５遅延器８１０a、マルチプレクサ８１０b、８１０c、第３ラッチ８１０d、そしてインバータ８１０e、８１０fを含む。
【００８５】
第５遅延器８１０aは、ベース信号発生部１０６から提供される冷却パルスエンド信号S_ELCをテーブル貯蔵部１０４から提供されるTBLC[５..０]信号あるいはT_LC[７..０]信号により指定される遅延時間だけ遅延させ出力する。TBLC[５..０]信号あるいはT_LC[７..０]信号の選択はAdap_LC信号により決定される。
【００８６】
第５遅延器８１０ａの動作により冷却パルスの立下り時間をシフトさせることができる。
【００８７】
冷却パルスの立上りタイムは、ラストパルス発生部８０４の出力あるいは冷却パルスエンド信号S_ELCにより決定される。マルチプレクサ８１０ｂはLC_Sel信号によりラストパルス発生部８０４の出力あるいは冷却パルスエンド信号S_ELCを選択する。
【００８８】
マルチプレクサ８１０bの出力と第５遅延器８１０aとの出力は、各々第３ラッチ８１０ｄのクロック信号及びリセット信号として印加される。第３ラッチ８１０ｄは記録モード制御信号WMODEによりイネーブルされ、マルチプレクサ８１０bの出力によりセットされ第５遅延器８１０aの出力によりリセットされる。第３ラッチ８１０dの動作によりラストパルス発生部８０４の出力であるラストパルスエンド信号S_ELPにより立下り時間が設定されて冷却パルスエンド信号S_ELCにより立上りタイムが設定される冷却パワー制御信号を得ることができる。適応的記録モードにおいて冷却パワー制御信号のシフト量はT_LC[７..０]あるいはTBLC[５..０]信号により決定される。
【００８９】
記録波形発生部１２０の消去パワー制御信号発生部８２０は、ORゲート８２０a、インバータ８２０b、そして第４ラッチ８２０cを含む。
【００９０】
ORゲート８２０aは、第５遅延器８１０aの出力とstart_B１信号をオア演算して出力する。インバータ８２０bはファーストパルス発生部８０２の第１遅延器８０２aの出力をインバーティングして出力する。第４ラッチ８２０cは記録モード制御信号WMODEによりイネーブルされ、ORゲート８２０ａの出力によりセットされインバータ８２０bの出力によりリセットされる。第４ラッチ８２０cの動作によりORゲート８２０aの出力により立上りタイムが設定されてインバータ８２０bの出力により立下り時間が設定される消去パワー信号を得ることができる。
【００９１】
記録波形発生部１２０のマルチパルス列発生部８３０は、第６遅延器８３０a、ANDゲート８３０b、第５ラッチ８３０c、マルチプレクサ８３０dを含む。
【００９２】
第６遅延器８３０ａは、ベース信号発生部１０６から提供される可変幅マルチパルス列エンド信号MP_Eをテーブル貯蔵部１０４から提供されるT_MP[７..０]信号により指定される遅延時間だけ遅延させて出力する。第６遅延器８３０aの動作によりマルチパルスの幅を可変できる。
【００９３】
ANDゲート８３０bは、第６遅延器８３０aの出力とvar_MP信号をAND演算して出力する。Var_MP信号はマルチパルスの幅を可変することをイネーブルあるいはディスエーブルするための信号である。
【００９４】
ベース信号発生部１０６から提供される可変幅マルチパルス列スタート信号MP_SとANDゲート８３０bとの出力は、各々第５ラッチ８３０cのクロック信号及びリセット信号として印加される。第５ラッチ８３０cは記録モード制御信号WMODEによりイネーブルされ、MP_S信号によりセットされANDゲート８３０ｂの出力によりリセットされる。第５ラッチ８３０cの動作により可変幅を有するマルチパルス列を得ることができる。
【００９５】
マルチプレクサ８３０dは、var_MP信号によって第５ラッチ８３０cの出力あるいはベース信号発生部１０６から提供される固定幅マルチパルス信号MPを選択して出力する。
【００９６】
図８に示された記録波形発生部は、２チャネルの記録パルスに対応できる。２チャネルの記録パルスはバイアスレベルとピークレベルのみを有することであり、図２の（d）に示される消去パワー制御信号の代りに図２の（g）に示される消去パワー制御信号を用いる。
【００９７】
【発明の効果】
上述したように、本発明による記録装置は多様な光記録媒体に適した記録パルスをタイミングデータ化して、タイミングデータからベース信号を生じ、このベース信号により記録パルス制御信号のタイミングを制御することにより多様な光記録媒体に対応できる効果を有する。
【図面の簡単な説明】
【図１】マークを形成するための記録パルスを示す波形図である。
【図２】マークを形成するための記録パルスの他の例を示す波形図である。
【図３】入力NRZI信号に対応する各光記録媒体における記録パルスの形態を示す波形図である。
【図４】本発明による記録パルス制御信号発生方法を図式的に示すための図面である。
【図５】表１に示した設定による各光記録媒体別記録パルスを示す波形図である。
【図６】本発明による記録パルス発生装置を示すブロック図である。
【図７】図６に示されたベース信号発生部の詳細な構成を示すブロック図である。
【図８】図６に示された記録波形発生部の詳細な構成を示すブロック図である。
【符号の説明】
１００  データ判別部
１０２  ドライバマイクロコンピュータ
１０４  時間軸変動テーブル貯蔵部
１０６  ベース信号発生部
１２０  記録波形発生部
１４０  レーザーダイオード駆動部
１６０  レーザーダイオード
１８０  ディスク
２００  ALPC回路
２０２  フォトダイオード
２０４  可変利得調整部
２０６  比較部
２０８  アップ/ダウンカウンター
２１０  DAC
７００、７０４、７０６  第１〜第３シフトレジスタ
７０２  基準信号生成部
７０８、７１０、７１２、７１４、７１６、７１８  第１〜第６マルチプレクサ
７２０  ラッチ
７２２、８０６  ゲート
８００  ピークパワー制御信号発生部
８０２  ファーストパルス発生部
８０２a、８０２b、８０４a、８０４b、８１０a、８３０a  第１〜第６遅延器
８０２c、８０２d、８０４c、８０４d、８０４e、８１０b、８１０c、８３０d  マルチプレクサ
８０２e、８０４f、８１０d、８２０c、８３０c  第１〜第５ラッチ
８０４  ラストパルス発生部
８１０  冷却パワー制御信号発生部
８１０e、８１０f、８２０b  インバータ
８２０  消去パワー制御信号発生部
８２０a  ＯＲゲート
８３０  マルチパルス列発生部
８３０b  ＡＮＤゲート
【図１】
0003693232.tif 000003
【図２】
0003693232.tif 000004
【図３】
0003693232.tif 000005
【図４】
0003693232.tif 000006
【図５】
0003693232.tif 000007
【図６】
0003693232.tif 000008
【図７】
0003693232.tif 000009
【図８】
0003693232.tif 000010